(57)【要約】  撮像装置（１００）は、第１の表示装置（３１）と、第２の表示装置（３３）と、所定の操作に対する効果音を出力するスピーカ（２１）と、スピーカからの効果音の出力を制御する制御部（１５）と、を備える。制御部は、第１の表示装置が動作可能に設定されている場合に、所定の操作に対して、第１の周波数特性を持つ効果音をスピーカから出力し、第２の表示装置が動作可能に設定されている場合に、所定の操作に対して、第１の周波数特性と異なる第２の周波数特性を持つ効果音をスピーカから出力させる。
2019244695.tif 000002
【特許請求の範囲】
【請求項１】
第１の表示装置と、
第２の表示装置と、
所定の操作に対する効果音を出力するスピーカと、
前記スピーカからの前記効果音の出力を制御する制御部と、を備え、
前記制御部は、
前記第１の表示装置が動作可能に設定されている場合に、前記所定の操作に対して、第１の周波数特性を持つ効果音をスピーカから出力し、
前記第２の表示装置が動作可能に設定されている場合に、前記所定の操作に対して、前記第１の周波数特性と異なる第２の周波数特性を持つ効果音をスピーカから出力させる、
撮像装置。
【請求項２】
前記第１の周波数特性は、所定周波数よりも高域において、前記第２の周波数特性よりも、より減衰が大きい特性である、
請求項１に記載の撮像装置。
【請求項３】
前記効果音は、メカニカルシャッタを動作させた時に発生するシャッタ音を模擬した音であり、
前記第１の周波数特性は、前記撮像装置の背面から第１の距離だけ離れた位置で収音されたメカニカルシャッタのシャッタ音に基づき設定され、
前記第２の周波数特性は、前記撮像装置の背面から第１の距離よりも大きい第２の距離だけ離れた位置で収音されたメカニカルシャッタのシャッタ音に基づき設定される、
請求項１に記載の撮像装置。
【請求項４】
前記効果音は、合焦時に出力する音、セルフタイマ設定時に出力する音、及び動画記録の開始操作または終了操作時に出力する音の少なくともいずれか１つを含む、請求項１に記載の撮像装置。
【請求項５】
前記第１の周波数特性を有する効果音を示す第１の音声データと、前記第２の周波数特性を有する効果音を示す第２の音声データとを格納する記憶部をさらに備え、
前記制御部は、前記第１の音声データに基づき前記第１の周波数特性を有する効果音を生成し、前記第２の音声データに基づき前記第２の周波数特性を有する効果音を生成する、
請求項１に記載の撮像装置。
【請求項６】
前記第１及び第２の周波数特性の一方を有する効果音を示す音声データを格納する記憶部をさらに備え、
前記制御部は、
前記音声データに基づき前記第１及び第２の周波数特性の前記一方を有する効果音を生成し、
前記音声データに所定のフィルタ処理を行って前記第１及び第２の周波数特性の他方を有する効果音を生成する、
請求項１に記載の撮像装置。
【請求項７】
前記第１の表示装置は、画像を表示する表示デバイスを備え、ユーザが窓を覗き込むことで前記表示デバイスに表示された画像を視認できる表示装置であり、前記第２の表示装置は、露出した表示画面に画像を表示する表示装置である、
請求項１から６のいずれかに記載の撮像装置。
【発明の詳細な説明】
【技術分野】
【０００１】
本開示は、シャッタ操作のような所定の操作に応じて電子的な効果音を発する撮像装置に関する。
【背景技術】
【０００２】
特許文献１は、所定の音を出力する撮影装置を開示する。この撮影装置は、被写体を撮像する撮像手段と、撮影者により覗かれて前記撮像手段により撮像される被写体が視認されるファインダと、所定の音を出力する出音手段と、前記ファインダの接眼部に人体が接近したことを検出する、前記接眼部の周辺に設けられた検出手段と、前記接眼部に人体が接近したことが前記検出手段によって検出されると、前記出音手段から出力される音の音量を変更する制御を行う音量変更制御手段とを備える。この撮影装置により、撮影者は、出音手段から出力される音の音量を、メニュー画面に表示されるメニュー項目を選択して調節する手間をかけることなく、容易に調節できるようになる。
【先行技術文献】
【特許文献】
【０００３】
【特許文献１】特開２０１０−２６４５９号公報
【発明の概要】
【発明が解決しようとする課題】
【０００４】
撮像装置からはシャッタ音、セルフタイマ音のような種々の効果音が電子的に生成されて、発せられる。例えば、シャッタ音は機械的に動作するメカニカルシャッタ（例えばフォーカルプレーンシャッタ）を模した電子音を発生しユーザに撮影したことを認識させるが、一定の電子音を発するため、ユーザの撮影位置（例えばファインダ撮影時とモニタ撮影時）によってユーザは聴感上違和感を覚える場合がある。【０００５】
本開示は、電子的に生成される、シャッタ音のような効果音を出力する撮像装置において、ユーザの撮影位置によってユーザが聴感上違和感を覚えない効果音を出力可能な撮像装置を提供する。
【課題を解決するための手段】
【０００６】
本開示の一態様において、第１の表示装置と、第２の表示装置と、所定の操作に対する効果音を出力するスピーカと、スピーカからの効果音の出力を制御する制御部と、を備える。制御部は、第１の表示装置が動作可能に設定されている場合に、所定の操作に対して、第１の周波数特性を持つ効果音をスピーカから出力し、第２の表示装置が動作可能に設定されている場合に、所定の操作に対して、第１の周波数特性と異なる第２の周波数特性を持つ効果音をスピーカから出力させる。
【発明の効果】
【０００７】
本開示の撮像装置によれば、ユーザが撮像装置に顔を近づけた状態で撮影する場合と、ユーザが撮像装置から顔を離した状態で撮影する場合とで、電子的に生成される効果音の周波数特性を異ならせる。これにより、ユーザに対して、ユーザが聴感上違和感を覚えない効果音を出力できる。
【図面の簡単な説明】
【０００８】
【図１】本開示の実施の形態１におけるデジタルカメラにおけるメカニカルシャッタ、スピーカ等の位置関係を説明した図
【図２】デジタルカメラの構成を示すブロック図
【図３】シャッタ音の周波数特性の測定時の収音位置を説明した図
【図４】２つの収音位置で測定したメカニカルシャッタのシャッタ音の周波数特性を示す図
【図５】２つの収音位置で測定した従来の電子シャッタのシャッタ音（効果音）の周波数特性を示す図
【図６】実施の形態１のデジタルカメラにおける電子シャッタの効果音の周波数特性を示す図
【図７】実施の形態１のデジタルカメラにおいてメカニカルシャッタを使用する場合の動作を説明するための図
【図８】実施の形態１のデジタルカメラにおいて電子シャッタを使用する場合の動作を説明するための図
【図９】実施の形態１における電子シャッタの効果音の出力処理を示すフローチャート
【図１０】本開示の実施の形態２における電子シャッタ以外の所定の効果音の出力処理を示すフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
［１−１．構成］
図１は、本開示の一実施の形態におけるデジタルカメラにおけるメカニカルシャッタ、スピーカ等の位置関係を説明した図である。本実施の形態のデジタルカメラ１００はレンズ交換式のカメラであり、交換レンズ１１０とカメラ本体１２０とで構成される。
【００１１】
交換レンズ１１０は、図示していないが、フォーカスレンズ、ズームレンズ及び手振れ補正用のレンズ及び絞りを含む光学系、光学系を駆動する駆動部（モータ、アクチュエータ等）、及び駆動部を制御するコントローラを備えている。
【００１２】
カメラ本体１２０は内部に、交換レンズ１１０を介して結像した被写体像を撮像するイメージセンサ１１と、イメージセンサ１１に対する露光を行うメカニカルシャッタ１３と、効果音等の音声を出力するスピーカ２１とを備える。メカニカルシャッタ１３はイメージセンサ１１の前方に配置されており、カメラ本体１２０内の比較的前方に配置されている。これに対して、スピーカ２１はカメラ本体１２０の後方に配置されている。
【００１３】
また、カメラ本体１２０は、外部に、ライブビュー画像及び種々の情報を表示する表示装置として、ファインダ３１とモニタ３３を備える。ユーザは、ユーザの顔すなわち眼をファインダ３１に近接させてファインダ３１を覗き込むことで、ファインダ３１の内部に配置された表示デバイスに表示されたライブビュー画像及び種々の情報を視認することができる。また、ユーザは、モニタ３３を使用することでデジタルカメラ１００から顔を離した状態でも、モニタ３３に表示されたライブビュー画像及び種々の情報を視認することができる。
【００１４】
図２は、デジタルカメラ１００のカメラ本体１２０の構成を示すブロック図である。図２に示すように、カメラ本体１２０は、画像を撮像するイメージセンサ１１と、イメージセンサ１１に対する露光を行うメカニカルシャッタ１３と、ファインダ３１と、モニタ３３とに加えて、デジタルカメラ１００全体の動作を制御するコントローラ１５と、シャッタ音等の効果音を出力するスピーカ２１と、音声信号を増幅する回路であるアンプ１９と、音声データ（デジタル音声信号）をアナログ音声信号に変換するＤＡコンバータ１７と、音声データ等を格納するＲＯＭ２３とを備える。さらに、カメラ本体１２０は、ユーザがデジタルカメラ１００に対する指示や設定の操作を行うための操作部２５を備える。また、カメラ本体１２０は、ファインダ３１の近傍に、物体の近接を検出するアイセンサ３５を備える。このアイセンサ３５は主としてユーザの顔がファインダ３１へ近接したか否かを検出することを目的としている。
【００１５】
イメージセンサ１１は、交換レンズ１１０を介して入射される被写体像を撮像してアナログ画像信号を生成するセンサである。イメージセンサ１１は、例えば、ＣＣＤイメージセンサ、ＣＭＯＳイメージセンサで構成されるが、これらに限定されるものではない。イメージセンサ１１で生成されたアナログ画像信号はデジタル画像データに変換される。変換により得られた画像データは、コントローラ１５により、様々な画像処理が施される。例えば、画像処理は、ガンマ補正処理、ホワイトバランス補正処理、キズ補正処理、ＹＣ変換処理、電子ズーム処理、ＪＰＥＧ圧縮処理などの画像圧縮処理等である。
【００１６】
モニタ３３は、イメージセンサ１１で生成された画像信号が示す画像、及び、各種の設定情報や、設定を行うためのメニュー画面等を表示する装置である。モニタ３３は、図１に示すようにカメラ本体１２０の背面に設けられる。モニタ３３はカメラ本体１２０に対して向き及び／または角度が変更できるように可動に取り付けられている。モニタ３３は液晶ディスプレイまたは有機ＥＬディスプレイ等で構成される。
【００１７】
ファインダ３１はカメラ本体１２０の背面の上部に配置される。ファインダ３１は内部に液晶ディスプレイや有機ＥＬディスプレイ等の表示デバイス３１ａを備えている。ファインダ３１はさらに透明部材で構成される窓３１ｂを備えている。ファインダ３１はカメラ本体１２０に対して向き及び／または角度が変更できるように可動に取り付けられてもよい。ユーザは、窓３１ｂからファインダ３１の内部を覗き込むことで表示デバイス３１ａに表示された画像を視認できる。これに対して、モニタ３３は画面が露出しており、ユーザはモニタ３３から顔を離した状態でも、モニタ３３の画面に表示された画像を視認することができる。
【００１８】
アイセンサ３５は物体の近接を検出するセンサである。アイセンサ３５はファインダ３１の窓３１ｂの近傍に設けられる。アイセンサ３５は、ファインダ３１の窓３１ｂへのユーザの顔の近接を検出する。
【００１９】
コントローラ１５は、ＣＰＵやＭＰＵのようなプログラムを実行することで所定の機能を実現するプロセッサで構成される。または、コントローラ１５は、所定の機能を実現するように設計された専用の電子回路で構成されるプロセッサでもよい。すなわち、コントローラ１５は、ＣＰＵ、ＭＰＵ、ＧＰＵ、ＤＳＵ、ＦＰＧＡ、ＡＳＩＣ等の種々のプロセッサで実現できる。コントローラ１５を１つまたは複数のプロセッサで構成してもよい。
【００２０】
ＲＯＭ２３は読み出し専用の不揮発性のメモリである。ＲＯＭ２３は例えばフラッシュメモリである。
【００２１】
操作部２５は、ユーザがデジタルカメラ１００に対して指示や設定を行うための操作部材を含む。例えば、操作部２５は、レリーズ釦、動画記録釦、カーソルキー、ジョグダイヤル、モードダイヤル、タッチパネル等を含む。
【００２２】
メカニカルシャッタ１３は、機械的に動作してイメージセンサ１１を露光する時間を調整する装置である。例えば、メカニカルシャッタ１３は、フォーカルプレーンシャッタまたはレンズシャッタで構成される。このようなメカニカルシャッタ１３とは別に、イメージセンサ１１の露光を行う機能として、本実施の形態のデジタルカメラ１００は電子シャッタを備える。電子シャッタは、イメージセンサ１１に蓄積される電荷の充電時間を制御することで、イメージセンサ１１に対する露光を電子的に行う機能である。なお、シャッタとして、メカニカルシャッタ１３及び電子シャッタのいずれを使用するかについては、デジタルカメラ１００において、所定のボタンやメニュー画面によりユーザが任意に設定できるようになっている。
【００２３】
ＤＡコンバータ１７は、音声データをアナログ音声信号に変換する回路である。アンプ１９は、ＤＡコンバータ１７で生成されたアナログ音声信号を増幅する。スピーカ２１は、アンプ１９で増幅された音声信号に基づき音を出力する。スピーカ２１は、ステレオ音声を出力してもよいし、モノラル音声を出力してもよい。ＤＡコンバータ１７で変換される音声データはフラッシュメモリ２３に格納される。
【００２４】
デジタルカメラ１００は撮像装置の一例である。ファインダ３１は第１の表示装置の一例である。モニタ３３は第２の表示装置の一例である。コントローラ１５は制御部の一例である。ＲＯＭ２３は記憶部の一例である。
【００２５】
［１−２．動作］
以上のように構成されるデジタルカメラ１００について、特に、電子的なシャッタ音の出力動作について説明する。
【００２６】
デジタルカメラ１００において、メカニカルシャッタ１３の動作時には、先幕や後幕または遮光する羽等の機械的部品が物理的に動作するため、シャッタ音が発生する。これに対して電子シャッタは電子的な動作であるため、本来シャッタ音は発生しない。しかし、ユーザの利便性を考慮して、電子シャッタの動作時には電子的に合成した効果音をシャッタ音としてスピーカ２１から出力している。本実施の形態では、電子シャッタのシャッタ音を示す音声データは、メカニカルシャッタ１３のシャッタ音をサンプリングして生成される。
【００２７】
また、本実施の形態のデジタルカメラ１００は、ファインダ３１とモニタ３３の２つの表示装置を備えている。ユーザはファインダ３１とモニタ３３のいずれか一方を用いて撮影を行うことができる。ユーザはファインダ３１を覗いて撮影（以下「ファインダ撮影」という）を行うときは、ファインダ３１に眼を近づけて（すなわち、カメラ本体１２０に顔を近づけて）撮影を行う。一方、ユーザはモニタ３３を見ながら撮影（以下「モニタ撮影」という）を行うときは、カメラ本体１２０から顔を離して撮影を行う。このようにファインダ撮影とモニタ撮影では、カメラ本体１２０からユーザの顔、すなわち、耳までの間の距離が異なる。このため、ファインダ撮影を行う場合と、モニタ撮影を行う場合とでは、ユーザのカメラ本体１２０から発せられるシャッタ音の聴こえ方が異なると考えられる。
【００２８】
本願発明者はこの点を検証するため、メカニカルシャッタ１３によるシャッタ音と、電子シャッタ動作時に出力される電子的なシャッタ音とについて、２つの収音位置における周波数特性を測定した。２つの収音位置はそれぞれ、ファインダ撮影時及びモニタ撮影時にユーザがシャッタ音を聴くと想定される位置である。
【００２９】
図３は、シャッタ音の周波数特性の測定時の収音用マイクの位置を説明した図である。収音位置Ａは、ファインダ撮影時にユーザがシャッタ音を聴くと想定される位置であり、ファインダ３１から後方に１ｃｍ離れた位置である。収音位置Ｂは、モニタ撮影時にユーザがシャッタ音を聴くと想定される位置であり、モニタ３３から後方に３０ｃｍ離れた位置に設定した。
【００３０】
図４は、収音位置Ａ及び収音位置Ｂで測定したメカニカルシャッタ１３のシャッタ音の周波数特性を示す図である。図５は、収音位置Ａ及び収音位置Ｂで測定した電子シャッタの従来のシャッタ音の周波数特性を示す図である。図４及び図５において、横軸は周波数であり、縦軸は、収音用マイクからの音声信号のレベルである。また、図４及び図５において、実線はファインダ撮影時を想定した収音位置Ａでの測定結果を示し、破線はモニタ撮影時を想定した収音位置Ｂでの測定結果を示す。
【００３１】
従来のデジタルカメラにおいては、通常、デジタルカメラとユーザの距離に応じて、スピーカから出力させる電子シャッタのシャッタ音を変動させることはない。よって、図５においては、同じ音声データから合成した同じシャッタ音がスピーカ２１から出力され、収音位置Ａと収音位置Ｂで測定された結果を示している。
【００３２】
図４及び図５において、収音位置Ａでの測定結果の方が収音位置Ｂでの測定結果よりも全体的に高いレベルを示しているが、これは、収音位置Ｂが収音位置Ａよりもスピーカ２１からより離れているため、収音位置Ｂに到達する音が距離により減衰しているためである。図４を参照すると、メカニカルシャッタ１３の場合、収音位置Ａと収音位置Ｂとで周波数特性が異なっているのが分かる。一方、図５を参照すると、電子シャッタの場合、収音位置Ａと収音位置Ｂとで、レベルに差はあるが、周波数特性はほぼ同じである。
【００３３】
さらに、図４及び図５を参照すると、メカニカルシャッタ１３のシャッタ音と電子シャッタのシャッタ音は、収音位置Ｂ（モニタ撮影想定位置）では、両者の周波数特性はよく類似しているが、収音位置Ａ（ファインダ撮影想定位置）では、両者の周波数特性が大きく異なっている。すなわち、収音位置Ａについて着目すると、メカニカルシャッタ１３のシャッタ音（図４）の方が、電子シャッタのシャッタ音（図５）よりも、低域においてはレベルが大きいが、高域においてはレベルが小さくなっていることが分かる。
【００３４】
このように、メカニカルシャッタ１３のシャッタ音と電子シャッタのシャッタ音は、ファインダ撮影を想定した収音位置Ａと、モニタ撮影を想定した収音位置Ｂとで周波数特性の変化の仕方が異なっている。本来、電子シャッタのシャッタ音はメカニカルシャッタの実際のシャッタ音を模したものであり、聴感上実際のメカニカルシャッタのシャッタ音にできるだけ近づけるのが好ましい。
【００３５】
本願発明者は、上述した測定結果に基づき、電子シャッタのシャッタ音について、収音位置Ａと収音位置Ｂとでの周波数特性の変化の仕方がメカニカルシャッタのものと異なっているという事実に到達し、さらに、そのことが、電子シャッタのリアリティを阻害する１つの要因であるという知見を得た。
【００３６】
そこで、本願発明者は、ファインダ撮影時に電子シャッタのシャッタ音の周波数特性を、デジタルカメラとユーザの間の距離に応じて変更することでより、メカニカルシャッタのシャッタ音に近い聴感を提供できる撮像装置を考案した。
【００３７】
図６は、本実施の形態のデジタルカメラ１００における、収音位置Ａ及び収音位置Ｂで測定された電子シャッタのシャッタ音の周波数特性を示す図である。図６に示す本実施の形態の電子シャッタのシャッタ音の周波数特性は、図５に示す従来の電子シャッタのシャッタ音の周波数特性と比較して、収音位置Ｂでの周波数特性は同じであるが、収音位置Ａでの周波数特性が異なる。すなわち、収音位置Ａでの周波数特性と収音位置Ｂでの周波数特性との相対的な関係が、メカニカルシャッタ１３におけるそれらの相対的な関係と同様になるように、収音位置Ａの特性を設定している。具体的には、図６に示す収音位置Ａでの周波数特性では、高域（例えば、１００００Ｈｚ以上）において、図５に示す収音位置Ａでの周波数特性よりも減衰が大きくなるように設定されている。
【００３８】
このため、本実施の形態のデジタルカメラ１００では、ＲＯＭ２３において、電子シャッタのシャッタ音の音声データを格納している。特に、ＲＯＭ２３は、ファインダ撮影時に再生する電子シャッタのシャッタ音の第１の音声データと、モニタ撮影時に再生する電子シャッタのシャッタ音の第２の音声データとをそれぞれ格納している。例えば、第１の音声データは収音位置Ａで収音されたメカニカルシャッタ１３のシャッタ音をサンプリングして生成され、第２の音声データは収音位置Ｂで収音されたメカニカルシャッタ１３のシャッタ音をサンプリングして生成される。ファインダ撮影時には、第１の音声データに基づき再生されたシャッタ音がスピーカ２１から出力され、モニタ撮影時には、第２の音声データに基づき再生されたシャッタ音がスピーカ２１から出力される。
【００３９】
図７は、デジタルカメラ１００において、メカニカルシャッタ１３を使用する場合の動作を説明するための図である。ここでは、デジタルカメラ１００において、シャッタとしてメカニカルシャッタ１３を使用することが設定されているとする。
【００４０】
ユーザにより操作部２５のレリーズ釦が押されると、コントローラ１５はイメージセンサ１１に露光開始命令を送信する。イメージセンサ１１はコントローラ１５からの露光開始命令を受けて露光を開始する。コントローラ１５はさらにメカニカルシャッタ１３に動作開始命令を送信する。メカニカルシャッタ１３は、設定されたシャッタースピードで先幕、後幕の開閉を行い、イメージセンサ１１を露光する。メカニカルシャッタ１３のシャッタ動作を終了後、イメージセンサ１１は全画素の露光を完了させる。その後、イメージセンサ１１で生成された画像信号は所定の画像処理が施されて、メモリカードのような記録媒体（図示せず）に記録される。
【００４１】
メカニカルシャッタ１３はそれ自体がシャッタ音を発生させるため、メカニカルシャッタ１３の動作時は、デジタルカメラ１００は電子的なシャッタ音をスピーカ２１から出力することはない。フラッシュメモリ２３から、シャッタ音の音声データが読み出され、ＤＡコンバータ１７等で処理されることはない。
【００４２】
図８は、デジタルカメラ１００において、電子シャッタを使用する場合の動作を説明するための図である。ここでは、デジタルカメラ１００において、シャッタとして電子シャッタを使用することが設定されているとする。
【００４３】
ユーザにより操作部２５のレリーズ釦が押されると、コントローラ１５はイメージセンサ１１に露光開始命令を送信する。イメージセンサ１１はコントローラ１５からの露光開始命令を受けて露光を開始する。コントローラ１５はＲＯＭ２３からシャッタ音の音声データを読み出す。このとき、ファインダ撮影かモニタ撮影かに応じてＲＯＭ２３から第１の音声データまたは第２の音声データが読み出される。読み出した音声データはＤＡコンバータ１７においてアナログ音声信号に変換される。アンプ１９はアナログ音声信号を増幅してスピーカ２１に送信する。これにより、スピーカ２１はシャッタ音を出力する。イメージセンサ１１で生成された画像信号は所定の画像処理が施されて、メモリカードのような記録媒体（図示せず）に記録される。
【００４４】
図９は、デジタルカメラ１００において電子シャッタの効果音の出力処理を示すフローチャートである。図９のフローチャートを用いて電子シャッタの効果音の出力処理を説明する。
【００４５】
コントローラ１５はユーザにより操作部２５のレリーズ釦が押されたか否かを検出している（Ｓ１１）。ユーザにより操作部２５のレリーズ釦が押されると（Ｓ１１でＹＥＳ）、コントローラ１５は、シャッタとして、メカニカルシャッタ１３と電子シャッタのうちのいずれが設定されているかを判断する（Ｓ１２）。メカニカルシャッタ１３に設定されている場合（Ｓ１２でＮＯ）、コントローラ１５は本処理を終了する。
【００４６】
電子シャッタが設定されている場合（Ｓ１２でＹＥＳ）、コントローラ１５は、デジタルカメラ１００がファインダ撮影モードに設定されているか、モニタ撮影モードに設定されているかを判断する（Ｓ１３）。
【００４７】
コントローラ１５は、アイセンサ３５からの検出信号に基づきファインダ撮影モードまたはモニタ撮影モードに設定する。具体的には、コントローラ１５は、アイセンサ３５が物体の近接を検出している場合、デジタルカメラ１００をファインダ撮影モードに設定し、そうでない場合、モニタ撮影モードに設定する。ユーザはファインダ３１を用いて撮影を行う場合、ファインダ３１を覗くためにその顔をファインダ３１に近づける。このため、アイセンサ３５により、ユーザが顔をファインダ３１に近づけたことを検出し、自動でファインダ撮影モードに設定している。
【００４８】
ファインダ撮影モードでは、動作（機能）させる表示装置としてファインダ３１が設定される。すなわち、ファインダ撮影モードでは、ファインダ３１を動作させ、ファインダ３１の内部の表示デバイスにライブビュー画像を表示し、モニタ３３は動作させず、モニタ３３にライブビュー画像は表示しないようにする。一方、モニタ撮影モードに設定された場合、動作（機能）させる表示装置としてモニタ３３が設定される。すなわち、モニタ撮影モードでは、モニタ３３を動作させ、モニタ３３にライブビュー画像を表示し、ファインダ３１は動作させずにファインダ３１の内部の表示デバイスにライブビュー画像は表示しないようにする。
【００４９】
なお、ファインダ撮影モードまたはモニタ撮影モードは、ユーザによる設定に基づき設定されることもできる。例えば、ユーザによる所定のボタンまたは設定メニューの操作により、デジタルカメラ１００がファインダ撮影モードまたはモニタ撮影モードに設定することができる。ユーザ設定によりモードが設定された場合、アイセンサ３５は無効に設定されるか、または、アイセンサ３５による検出信号が無視される。
【００５０】
ファインダ撮影モードであると判断した場合（Ｓ１３でＹＥＳ）、コントローラ１５は、ファインダ撮影用のシャッタ音をスピーカ２１から出力させる（Ｓ１４）。この場合、コントローラ１５はＲＯＭ２３から、ファインダ撮影時に再生される第１の音声データを読み出す。読み出された第１の音声データは、ＤＡコンバータ１７及びアンプ１９で信号処理が施され、スピーカ２１から、ファインダ撮影用のシャッタ音として出力される。
【００５１】
一方、モニタ撮影モードであると判断した場合（Ｓ１３でＮＯ）、コントローラ１５は、モニタ撮影用のシャッタ音をスピーカ２１から出力させる（Ｓ１５）。この場合、コントローラ１５はＲＯＭ２３から、モニタ撮影時に再生される第２の音声データを読み出す。読み出された第２の音声データは、ＤＡコンバータ１７及びアンプ１９で信号処理が施され、スピーカ２１から、モニタ撮影用のシャッタ音として出力される。なお、ファインダ撮影用のシャッタ音とモニタ撮影用のシャッタ音とは同じレベル（音量）でスピーカ２１から出力される。
【００５２】
以上のように、本実施の形態のデジタルカメラ１００によれば、電子シャッタの動作時においては、ファインダ撮影とモニタ撮影との間で異なるシャッタ音がスピーカ２１から出力される。これにより、メカニカルシャッタ１３の動作時に聴かれるシャッタ音に近い音を再現することができる。
【００５３】
［１−３．効果、等］
以上のように、本実施の形態のデジタルカメラ１００は、ファインダ３１と、モニタ３３と、レリーズ釦操作に対するシャッタ音（効果音）を出力するスピーカ２１と、スピーカ２１からのシャッタ音（効果音）の出力を制御するコントローラ１５と、を備える。コントローラ１５は、ファインダ３１が動作可能に設定されている場合に、レリーズ釦の押下に対して、第１の周波数特性を持つシャッタ音をスピーカ２１から出力し、モニタ３３が動作可能に設定されている場合に、レリーズ釦の押下に対して、第１の周波数特性と異なる第２の周波数特性を持つシャッタ音をスピーカ２１から出力させる。
【００５４】
以上のように、ファインダ３１が動作可能に設定されている場合、すなわち、ユーザがファインダ撮影を行っていると想定される場合と、モニタ３３が動作可能に設定されている場合、すなわち、ユーザがモニタ撮影を行っていると想定される場合とで、スピーカ２１から出力されるシャッタ音の周波数特性を異ならせる。これにより、デジタルカメラ１００は、ファインダ撮影及びモニタ撮影の双方の場合において、メカニカルシャッタ１３から発せられるシャッタ音に近い聴感をユーザに提供することができる。すなわち、デジタルカメラ１００は、ユーザが聴感上違和感を覚えない効果音を出力することができる。
【００５５】
第１の周波数特性は、所定周波数（例えば、１００００Ｈｚ）よりも高域において、第２の周波数特性よりも、より減衰が大きい特性を有する。このような周波数特性にすることで、ユーザがデジタルカメラ１００に顔を近づけた状態でスピーカ２１からのシャッタ音を聴く際に、高音域が低減されるため、ユーザに対して甲高い音が耳につくことを低減できる。
【００５６】
第１の周波数特性は、デジタルカメラ１００の背面から第１の距離（例えば、ファインダ３１から１ｃｍ）だけ離れた位置Ａで収音されたメカニカルシャッタ１３のシャッタ音に基づき設定されてもよい。第２の周波数特性は、デジタルカメラ１００の背面から第１の距離よりも大きい第２の距離（例えば、モニタ３３から３０ｃｍ）だけ離れた位置Ｂで収音されたメカニカルシャッタ１３のシャッタ音に基づき設定されてもよい。これにより、ユーザがデジタルカメラ１００に顔を近づけた状態及びデジタルカメラ１００から顔を離した状態の双方においてスピーカ２１からのシャッタ音を聴く際に、メカニカルシャッタ１３から発せられるシャッタ音に近い聴感をユーザに提供することができる。
【００５７】
（実施の形態２）
実施の形態１では、電子シャッタの効果音（シャッタ音）について、ファインダ撮影とモニタ撮影とで音を異ならせた。ファインダ撮影とモニタ撮影とで周波数特性を異ならせる効果音は、シャッタ音に限定されない。デジタルカメラ１００においてスピーカ２１から出力される所定の効果音について、ファインダ撮影とモニタ撮影とで周波数特性を異ならせてもよい。所定の効果音は、例えば、合焦時に出力される合焦音、セルフタイマ設定時に出力されるタイマ音である。または、所定の効果音は、動画記録の開始または停止させるための動画記録釦の押下時に出力される音でもよい。
【００５８】
この場合、所定の効果音について、ＲＯＭ２３に、ファインダ撮影用の第１の音声データとモニタ撮影用の第２の音声データとを予め格納しておく。例えば、合焦音及びセルフタイマのタイマ音について、ファインダ撮影用の第１の音声データと、モニタ撮影用の第２の音声データとをＲＯＭ２３に格納しておく
【００５９】
図１０は、電子シャッタ以外の効果音の出力処理を示すフローチャートである。コントローラ１５は、所定の効果音が出力される状態になったか否かを検出している（Ｓ２１）。ここで、所定の効果音とは、合焦時に出力される合焦音、または、セルフタイマ設定時に出力されるタイマ音等である。
【００６０】
所定の効果音が出力される状態になったことが検出されると（Ｓ２１でＹＥＳ）、コントローラ１５は、デジタルカメラ１００がファインダ撮影モードかモニタ撮影モードかを判断する（Ｓ２２）。
【００６１】
ファインダ撮影モードであると判断した場合（Ｓ２２でＹＥＳ）、コントローラ１５は、検出した操作に関連したファインダ撮影用の効果音をスピーカ２１から出力させる（Ｓ２３）。この場合、コントローラ１５はＲＯＭ２３から、検出した操作に関連し、ファインダ撮影時に再生される第１の音声データを読み出す。読み出された第１の音声データは、ＤＡコンバータ１７及びアンプ１９で信号処理が施され、スピーカ２１から、ファインダ撮影用の効果音として出力される。
【００６２】
一方、モニタ撮影モードであると判断した場合（Ｓ２２でＮＯ）、コントローラ１５は、検出した操作に関連したモニタ撮影用の効果音をスピーカ２１から出力させる（Ｓ２４）。この場合、コントローラ１５はＲＯＭ２３から、検出した操作に関連し、モニタ撮影時に再生される第２の音声データを読み出す。読み出された第２の音声データは、ＤＡコンバータ１７及びアンプ１９で信号処理が施され、スピーカ２１から、モニタ撮影用の効果音として出力される。
【００６３】
例えば、合焦音について、ファインダ撮影用の第１の音声データにおいて、モニタ撮影用の第２の音声データと比較して、高域の音のレベルを小さくすることで、より近い位置で効果音を聴く際に甲高い音が耳につくことを和らげる効果が得られる。このように、デジタルカメラ１００は、ユーザが聴感上違和感を覚えない効果音を出力することができる。
【００６４】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。そこで、以下、他の実施の形態を例示する。
【００６５】
上記の実施の形態では、ファインダ撮影時には、第１の音声データを用いて効果音を生成してスピーカ２１から出力し、モニタ撮影時には、第２の音声データを用いて効果音を生成してスピーカ２１から出力した。このように、ファインダ撮影時とモニタ撮影時とで異なる音声データを用いて効果音を生成していたが、ファインダ撮影時とモニタ撮影時とで同じ音声データを用いて効果音を生成してもよい。例えば、ＲＯＭ２３にモニタ撮影用の効果音の音声データのみを格納しておいてもよい。この場合、モニタ撮影時には、ＲＯＭ２３に格納された音声データを用い、ファインダ撮影時には、ＲＯＭ２３に格納された音声データに所定のフィルタ処理を行い、ファインダ撮影用の効果音の音声データを生成してもよい。または、ＲＯＭ２３にファインダ撮影用の効果音の音声データのみを格納し、モニタ撮影時には、ＲＯＭ２３に格納された音声データに所定のフィルタ処理を行い、モニタ撮影用の効果音の音声データを生成してもよい。
【００６６】
上記の実施の形態において、ファインダ撮影時の効果音に関連した収音位置Ａをファインダ３１から１ｃｍ離れた位置に、モニタ撮影時の効果音に関連した収音位置Ｂをモニタ３３から３０ｃｍ離れた位置にそれぞれ設定したが、これらの値は一例であり、他の値でもよい。
【００６７】
上記の実施の形態では、メカニカルシャッタを備えた撮像装置を説明したが、撮像装置は、電子シャッタ機能を備えていれば、メカニカルシャッタを備えていなくてもよい。また、撮像装置は、効果音を出力可能なものであれば、ミラーを備えた一眼レフタイプであってもよいし、ミラーレスタイプであってもよい。
【００６８】
上記の実施の形態では、レンズ交換が可能なデジタルカメラを撮像装置の例として用いて説明したが、撮像装置はレンズとボディが一体型のものであってもよい。
【００６９】
撮像装置の一例として上記のデジタルカメラを説明したが、本開示の思想は、画像撮像機能を有し、スピーカから効果音を出力する他の種類の撮像装置にも適用できる。
【００７０】
以上のように、本開示における技術の例示として、実施の形態を説明した。そのために、添付図面および詳細な説明を提供した。
【００７１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、上述の実施の形態は、本開示における技術を例示するためのものであるから、特許請求の範囲またはその均等の範囲において種々の変更、置き換え、付加、省略などを行うことができる。
【産業上の利用可能性】
【００７３】
本開示は、所定の操作に基づきスピーカから効果音（例えば、シャッタ音）を出力する撮像装置に有用である。
【図１】
2019244695.tif 000003
【図２】
2019244695.tif 000004
【図３】
2019244695.tif 000005
【図４】
2019244695.tif 000006
【図５】
2019244695.tif 000007
【図６】
2019244695.tif 000008
【図７】
2019244695.tif 000009
【図８】
2019244695.tif 000010
【図９】
2019244695.tif 000011
【図１０】
2019244695.tif 000012
【国際調査報告】
2019244695.tif 000013
2019244695.tif 000014